(57)【要約】  この発明は、横倒しされた電機設備盤を容易に起立させることができる電機設備盤の起立設備および電機設備盤の起立方法を提供するものである。  ベースと、前記ベースの上部に配置され電機設備盤が載置される昇降台と、前記ベースと前記昇降台とに係合されたリンク機構と、前記昇降台を昇降させる駆動機構とを有する昇降装置、前記昇降台上に前記電機設備盤の移送方向に複数配置された移送ローラが配置された移送ローラ機構、固定体と、前記固定体に枢着された起立台と、前記起立台に設けられた載置体と、前記起立台を回動させる起立駆動機構とを有する起立装置、前記起立台上に前記電機設備盤の移送方向に複数配置された起立ローラが配置された起立ローラ機構、を備えたものである。
2017221580.tif 000002
【特許請求の範囲】
【請求項１】
ベースと、前記ベースの上部に配置され電機設備盤が載置される昇降台と、前記ベースと前記昇降台とに係合されたリンク機構と、前記昇降台を昇降させる駆動機構とを有する昇降装置、
前記昇降台上に前記電機設備盤の移送方向に複数配置された移送ローラが配置された移送ローラ機構、
固定体と、前記固定体に枢着された起立台と、前記起立台に設けられた載置体と、前記起立台を回動させる起立駆動機構とを有する起立装置、
前記起立台上に前記電機設備盤の移送方向に複数配置された起立ローラが配置された起立ローラ機構、
を備えたことを特徴とする電機設備盤の起立設備。
【請求項２】
前記移送ローラは、間隔を置いて少なくとも２列配置されたことを特徴とする請求項１に記載の電機設備盤の起立設備。
【請求項３】
前記起立ローラは、間隔を置いて少なくとも２列配置されたことを特徴とする請求項１または請求項２に記載の電機設備盤の起立設備。
【請求項４】
前記移送ローラ機構の前記移送ローラと前記起立ローラ機構の前記起立ローラとは同じ移送方向の軸線位置に配置されたことを特徴とする請求項１から請求項３のいずれか１項に記載の電機設備盤の起立設備。
【請求項５】
ベースと、前記ベースの上部に配置され電機設備盤が載置される昇降台と、前記ベースと前記昇降台とに係合されたリンク機構と、前記昇降台を昇降させる駆動機構とを有する昇降装置、
前記昇降台上に前記電機設備盤の移送方向に複数配置された移送ローラが配置された移送ローラ機構、
固定体と、前記固定体に枢着された起立台と、前記起立台に設けられた載置体と、前記起立台を回動させる起立駆動機構とを有する起立装置、
前記起立台上に前記電機設備盤の移送方向に複数配置された起立ローラが前記移送ローラ機構の前記移送ローラの移送方向と同じ軸線位置に配置された起立ローラ機構、
前記移送ローラ機構の前記移送ローラに移動可能に嵌め込まれるとともに前記起立ローラ機構の前記起立ローラにも嵌め込むことが可能なスケーター、
を備えたことを特徴とする電機設備盤の起立設備。
【請求項６】
前記移送ローラは、間隔を置いて少なくとも２列配置されたことを特徴とする請求項５に記載の電機設備盤の起立設備。
【請求項７】
前記起立ローラは、間隔を置いて少なくとも２列配置されたことを特徴とする請求項５または請求項６に記載の電機設備盤の起立設備。
【請求項８】
前記スケーターは、前記移送ローラ機構の前記移送ローラの軸線方向に２個配置されたことを特徴とする請求項５から請求項７のいずれか１項に記載の電機設備盤の起立設備。
【請求項９】
組み立てられた電機設備盤を昇降装置の昇降台上に配置された移送ローラ機構に載置する工程と、起立装置の起立台を起立駆動機構により回動させて前記起立台を水平位置とする工程と、前記昇降装置の駆動機構により前記昇降台を昇降させて前記昇降台上の前記移送ローラ機構の高さ位置を前記起立台上の起立ローラ機構の高さ位置に合わせる工程と、前記移送ローラ機構に載置された前記電機設備盤を前記起立台上の前記起立ローラ機構に移送する工程と、前記電機設備盤を前記起立台の載置体に当接させて前記起立台上の起立ローラ機構に載置し、前記起立装置の前記起立台を前記起立駆動機構により回動させて前記起立台を垂直位置とする工程と、を備えたことを特徴とする電機設備盤の起立方法。
【請求項１０】
昇降装置の昇降台上に配置された移送ローラ機構にスケーターを嵌め込む工程と、組み立てられた電機設備盤を前記スケーターに載置する工程と、起立装置の起立台を起立駆動機構により回動させて前記起立台を水平位置とする工程と、前記昇降装置の駆動機構により前記昇降台を昇降させて前記昇降台上の前記移送ローラ機構の高さ位置を前記起立台上の起立ローラ機構の高さ位置に合わせる工程と、前記電機設備盤を載置した前記スケーターを前記起立ローラ機構に嵌め込み前記電機設備盤を前記スケーターとともに前記起立台上の起立ローラ機構に移送する工程と、前記電機設備盤を前記起立台の載置体に当接させて前記起立台上の前記起立ローラ機構に載置し、前記起立装置の前記起立台を前記起立駆動機構により回動させて前記起立台を垂直位置とする工程と、を備えたことを特徴とする電機設備盤の起立方法。
【発明の詳細な説明】
【技術分野】
【０００１】
この発明は、例えば配電盤、制御盤、分電盤などの電機設備盤の起立設備および起立方法に関するものである。
【背景技術】
【０００２】
従来において、配電盤、制御盤、分電盤などの電機設備盤は、横倒しにした状態で各種機器などの組み立てが行われる。各種機器が取り付けられた後の電機設備盤は重量が大幅に増大している。【０００３】
横倒しにした状態で各種機器などを組み立てる設備としては、特許文献１（特開２００７−３１３５８５号公報）に示すものがあるが、各種機器などを組み立てた電機設備盤を起立させるものはない。【０００４】
このように重量が大幅に増大した電機設備盤を起立させるためには、クレーンによる起立操作が必要となる。クレーンによる起立作業においては、電機設備盤の組立者の立会いのもとに、クレーンの操縦者と吊り上げ用ワイヤの玉掛者とが連結をとりながら、横倒しされた電機設備盤を吊り上げながら起立させる。
【先行技術文献】
【特許文献】
【０００５】
【特許文献１】特開２００７−３１３５８５号公報
【発明の概要】
【発明が解決しようとする課題】
【０００６】
上述した従来の電機設備盤においては、横倒しにした状態で各種機器が取り付けられた後の電機設備盤は重量が大幅に増大しているので、このように重量が大幅に増大した電機設備盤を起立させるためには、クレーンによる起立操作が必要となる。クレーンによる起立作業においては、クレーンの操縦者、吊り上げ用ワイヤの玉掛者、電機設備盤の組立者など複数人の作業となるとともに電機設備盤を起立させる作業に多大な時間を要するという問題点があった。【０００７】
また、横倒しされた電機設備盤に吊り上げ用ワイヤを掛ける玉掛者の技量や、横倒しされた電機設備盤に吊り上げるクレーンの操縦者の技量に依存しており、特に、横倒しされた電機設備盤を起立させるときに、その電機設備盤が横振れしないように繊細なクレーンの操縦技能が要求されるという問題点があった。【０００８】
また、横倒しにした状態で各種機器などを組み立てた電機設備盤は、約３００Ｋｇ以上となるものが多い。このような大重量の横倒しされた電機設備盤は、クレーンの吊り金具部分で吊り上げていくため、吊り上げ箇所を支点に歪みの要因となる荷重がかかるという問題点があった。【０００９】
この発明は、上記のような課題を解決するためになされたものであり、その目的は、横倒しされた電機設備盤を容易に起立させることができる電機設備盤の起立設備および電機設備盤の起立方法を提供するものである。
【課題を解決するための手段】
【００１０】
この発明に係わる電機設備盤の起立設備は、ベースと、前記ベースの上部に配置され電機設備盤が載置される昇降台と、前記ベースと前記昇降台とに係合されたリンク機構と、前記昇降台を昇降させる駆動機構とを有する昇降装置、前記昇降台上に前記電機設備盤の移送方向に複数配置された移送ローラが配置された移送ローラ機構、固定体と、前記固定体に枢着された起立台と、前記起立台に設けられた載置体と、前記起立台を回動させる起立駆動機構とを有する起立装置、前記起立台上に前記電機設備盤の移送方向に複数配置された起立ローラが配置された起立ローラ機構、を備えたものである。【００１１】
また、この発明に係わる電機設備盤の起立設備は、ベースと、前記ベースの上部に配置され電機設備盤が載置される昇降台と、前記ベースと前記昇降台とに係合されたリンク機構と、前記昇降台を昇降させる駆動機構とを有する昇降装置、前記昇降台上に前記電機設備盤の移送方向に複数配置された移送ローラが配置された移送ローラ機構、  固定体と、前記固定体に枢着された起立台と、前記起立台に設けられた載置体と、前記起立台を回動させる起立駆動機構とを有する起立装置、前記起立台上に前記電機設備盤の移送方向に複数配置された起立ローラが前記移送ローラ機構の前記移送ローラの移送方向と同じ位置に配置された起立ローラ機構、前記移送ローラ機構の前記移送ローラに移動可能に嵌め込まれるとともに前記起立ローラ機構の前記起立ローラにも嵌め込むことが可能なスケーター、を備えたものである。【００１２】
また、この発明に係わる電機設備盤の起立方法は、組み立てられた電機設備盤を昇降装置の昇降台上に配置された移送ローラ機構に載置する工程と、起立装置の起立台を起立駆動機構により回動させて前記起立台を水平位置とする工程と、前記昇降装置の駆動機構により前記昇降台を昇降させて前記昇降台上の前記移送ローラ機構の高さ位置を前記起立台上の起立ローラ機構の高さ位置に合わせる工程と、前記移送ローラ機構に載置された前記電機設備盤を前記起立台上の前記起立ローラ機構に移送する工程と、前記電機設備盤を前記起立台の載置体に当接させて前記起立台上の起立ローラ機構に載置し、前記起立装置の前記起立台を前記起立駆動機構により回動させて前記起立台を垂直位置とする工程と、を備えたものである。【００１３】
また、この発明に係わる電機設備盤の起立方法は、昇降装置の昇降台上に配置された移送ローラ機構にスケーターを嵌め込む工程と、組み立てられた電機設備盤を前記スケーターに載置する工程と、起立装置の起立台を起立駆動機構により回動させて前記起立台を水平位置とする工程と、前記昇降装置の駆動機構により前記昇降台を昇降させて前記昇降台上の前記移送ローラ機構の高さ位置を前記起立台上の起立ローラ機構の高さ位置に合わせる工程と、前記電機設備盤を載置した前記スケーターを前記起立ローラ機構に嵌め込み前記電機設備盤を前記スケーターとともに前記起立台上の起立ローラ機構に移送する工程と、前記電機設備盤を前記起立台の載置体に当接させて前記起立台上の前記起立ローラ機構に載置し、前記起立装置の前記起立台を前記起立駆動機構により回動させて前記起立台を垂直位置とする工程と、を備えたものである。
【発明の効果】
【００１４】
この発明に係わる電機設備盤の起立設備によれば、横倒しされた電機設備盤を容易に起立させることができる電機設備盤の起立設備および電機設備盤の起立方法を得ることができる。
【図面の簡単な説明】
【００１５】
【図１】この発明の実施の形態１に係わる電機設備盤の起立設備を示す正面図である。
【図２】この発明の実施の形態１に係わる電機設備盤の起立設備を示す図１のII−II線における断面図である。
【図３】この発明の実施の形態１に係わる電機設備盤の起立設備を示す正面図である。
【図４】この発明の実施の形態1に係わる電機設備盤の起立設備を示す正面図である。
【図５】この発明の実施の形態1に係わる電機設備盤の起立設備を示す図４のＶ−Ｖ線における断面図である。
【図６】この発明の実施の形態1に係わる電機設備盤の起立設備を示す正面図である。
【図７】この発明の実施の形態１に係わる電機設備盤の起立設備における移送ローラの他の例を示す断面図である。
【図８】この発明の実施の形態１に係わる電機設備盤の起立設備における起立ローラの他の例を示す断面図である。
【図９】この発明の実施の形態２に係わる電機設備盤の起立設備を示す正面図である。
【図１０】この発明の実施の形態２に係わる電機設備盤の起立設備を示す図９のＸ−Ｘ線における断面図である。
【図１１】この発明の実施の形態２に係わる電機設備盤の起立設備を示す正面図である。
【図１２】この発明の実施の形態２に係わる電機設備盤の起立設備を示す正面図である。
【図１３】この発明の実施の形態２に係わる電機設備盤の起立設備を示す図１２のXIII−XIII線における断面図である。
【図１４】この発明の実施の形態２に係わる電機設備盤の起立設備を示す正面図である。
【発明を実施するための形態】
【００１６】
実施の形態１．
以下、この発明の実施の形態１を図１から図６に基づいて説明するが、各図において、同一、または相当部材、部位については同一符号を付して説明する。図１はこの発明の実施の形態１に係わる電機設備盤の起立設備を示す正面図である。図２はこの発明の実施の形態１に係わる電機設備盤の起立設備を示す図１のII−II線における断面図である。図３はこの発明の実施の形態１に係わる電機設備盤の起立設備を示す正面図である。図４はこの発明の実施の形態1に係わる電機設備盤の起立設備を示す正面図である。図５はこの発明の実施の形態1に係わる電機設備盤の起立設備を示す図４のＶ−Ｖ線における断面図である。図６はこの発明の実施の形態1に係わる電機設備盤の起立設備を示す正面図である。
【００１７】
これら図１から図６において、例えば配電盤、制御盤、分電盤などの電機設備盤１００を組み立てる設備の定盤などの基台１に電機設備盤１００を昇降させる昇降装置１０が固定される。昇降装置１０は、基台１に固定されたベース１１と、このベース１１の上部に配置され電機設備盤１００が載置される昇降台１２と、ベース１１と昇降台１２とに係合されたリンク機構１３と、昇降台１２を昇降させる駆動機構１４とにより構成された場合を示している。
【００１８】
リンク機構１３は、第１クロスバー１５と第２クロスバー１８とを有している。第１クロスバー１５の一方側１５ａはベース１１に設けた第１支軸１６に回動可能に支承され、第１クロスバー１５の他方側１５ｂは昇降台１２の例えば下面部を図１の図面上において左右方向に移動可能に配置された第１推軸１７に回動可能に推着されている。また、第２クロスバー１８の一方側１８ａは昇降台１２に設けた第２支軸１９に回動可能に支承され、第２クロスバー１８の他方側１８ｂはベース１１の例えば上面部を図１の図面上において左右方向に移動可能に配置された第２推軸２０に回動可能に推着されている。そして、第１クロスバー１５と第２クロスバー１８との中央部は中央支軸２１により回動可能に支承されている。
【００１９】
駆動機構１４は、第２推軸２０に連結され、昇降スピンドル１４ａは例えば第１クロスバー１５に連結されている。駆動機構１４の昇降スピンドル１４ａの進退によりリンク機構１３が上方あるいは下方へ移動し、昇降台１２を上下方向に昇降する。
【００２０】
昇降台１２上に移送ローラ機構３０を電機設備盤１００の移送方向に配置し、移送ローラ機構３０の移送ローラ３１は間隔を置いて少なくとも２列配置した場合を示している。移送ローラ機構３０の移送ローラ３１は昇降台１２に設けた支持具３２に止め具３３により回転自在に取り付けられた場合を示している。
【００２１】
定盤などの基台１に固定した昇降装置１０の近傍に起立装置５０が基台１に固定されており、起立装置５０の後述する起立台５４が水平方向となるよう回動されたときに昇降装置１０に当接しない間隔を置いて基台１に配置されている。
【００２２】
起立装置５０は、固定体５１と、この固定体５１に起立推軸５２により支持体５３を介して枢着された起立台５４と、この起立台５４に設けられた載置体５６と、起立台５４を回動させる起立駆動機構５５とにより構成された場合を示している。なお、起立台５４には電機設備盤１００を起立したときに載置される載置体５６が設けられており、例えば電機設備盤１００の飛び出しを防ぐ目的で柵体５６ａを設けている。
【００２３】
起立駆動機構５５は、固定体５１に取り付けられ、起立スピンドル５５ａは起立台５４に連結されている。起立駆動機構５５の起立スピンドル５５ａの進退により起立台５４を回動させる。
【００２４】
起立台５４上に起立ローラ機構６０を電機設備盤１００の移送方向に配置し、起立ローラ機構６０の起立ローラ６１は間隔を置いて少なくとも２列配置した場合を示している。起立ローラ機構６０の起立ローラ６１は起立台５４に設けた支持具６２に止め具６３により回転自在に取り付けられた場合を示している。
【００２５】
起立台５４を起立駆動機構５５により水平方向の位置に回動させたとき、図３に示すように起立装置５０の起立台５４の先端と昇降装置１０の昇降台１２あるいは電機設備盤１００とが当接しない間隔が設けられている。
【００２６】
なお、移送ローラ機構３０の移送ローラ３１の移送方向の軸線位置と起立ローラ機構６０の起立ローラ６１の移送方向の軸線位置とは必ずしも同一である必要はないが、この実施の形態１においては、移送ローラ機構３０の移送ローラ３１の移送方向の軸線位置と起立ローラ機構６０の起立ローラ６１の移送方向の軸線位置とは同一である場合を示している。
【００２７】
次に、この実施の形態１における電機設備盤１００の起立方法について述べる。横倒しされた電機設備盤１００を昇降装置１０の昇降台１２上に配置された移送ローラ機構３０の移送ローラ３１上に載置し、電機設備盤１００への各種機器の取り付けが容易となる高さとなるよう昇降装置１０の駆動機構１４により昇降台１２を昇降させる。
【００２８】
各種機器が組み立てられた電機設備盤１００を起立させる作業に入る。電機設備盤１００の組み立て作業中は、起立装置５０の起立台５４は図１に示すように垂直方向の位置に保持されており、起立装置５０の起立台５４を起立駆動機構５５により回動させて図３に示すように起立台５４を水平位置とする。
【００２９】
図３に示すように昇降装置１０の駆動機構１４により昇降台１２を昇降させて昇降台１２上の移送ローラ機構３０の移送ローラ３１の高さ位置を起立装置５０の起立台５４上の起立ローラ機構６０の起立ローラ６１の高さ位置に合わせる。
【００３０】
昇降台１２上の移送ローラ機構３０の移送ローラ３１に載置された電機設備盤１００を起立装置５０側に押すことにより移送ローラ３１が回転するので、電機設備盤１００を滑らかに起立台５４上の起立ローラ機構６０の起立ローラ６１側に移送し、起立ローラ６１が回転するので、電機設備盤１００を滑らかに移送して載置体５６に当接させて起立台５４上の起立ローラ機構６０の起立ローラ６１に載置する。
【００３１】
起立装置５０の起立台５４を起立駆動機構５５により回動させて図６に示すように起立台５４を垂直位置に戻すことにより、横倒しされた電機設備盤１００を垂直方向に起立させることができる。
【００３２】
以上のように、昇降台１２上の移送ローラ機構３０の移送ローラ３１に載置された電機設備盤１００を起立装置５０側に押すことにより、電機設備盤１００を滑らかに起立台５４上の起立ローラ機構６０の起立ローラ６１側に移送でき、電機設備盤１００を滑らかに移送して載置体５６に当接させて起立台５４上の起立ローラ機構６０の起立ローラ６１に載置できる。そして、起立装置５０の起立台５４を起立駆動機構５５により回動させて起立台５４を垂直位置に戻すことにより、横倒しされた電機設備盤１００を一人の作業で容易に垂直方向に起立させることができる。
【００３３】
したがって、上述した従来のように、クレーンによる起立操作が不要であり、クレーンの操縦者、吊り上げ用ワイヤの玉掛者、電機設備盤１００の組立者など複数人の作業ではなく、電機設備盤１００の組立者の一人での作業となるので、電機設備盤１００を起立させる作業に多大な時間を要することなく、簡易な作業かつ短時間で電機設備盤１００を起立させることができる。
【００３４】
また、上述した従来のように、横倒しされた電機設備盤に吊り上げ用ワイヤを掛ける玉掛者の技量や、横倒しされた電機設備盤に吊り上げるクレーンの操縦者の技量に依存することもなく、特に、横倒しされた電機設備盤を起立させるときに、その電機設備盤が横振れしないように繊細なクレーンの操縦技能も不要となり、安全性に優れたものである。
【００３５】
また、上述した従来のように、横倒しにした状態で各種機器などを組み立てた約３００Ｋｇ以上となる電機設備盤では、クレーンの吊り金具部分で吊り上げていくため、吊り上げ箇所を支点に歪みの要因となる荷重がかかるが、この実施の形態１においては、電機設備盤１００の全体を保持しつつ起立させるので、歪みの要因となる荷重がかかることがなく、信頼性に優れたものである。
【００３６】
なお、起立装置５０の載置体５６上に起立された電機設備盤１００は搬送具などにより次工程に搬送されることになる。
【００３７】
また、起立装置５０の載置体５６に柵体５６ａを設けた場合について述べたが、これに限定されるものではなく、電機設備盤１００を起立させるとき、電機設備盤１００の飛び出しがないように起立できる場合には柵体５６ａを設ける必要はない。
【００３８】
ところで、上述した実施の形態１においては、移送ローラ機構３０の移送ローラ３１が間隔を置いて少なくとも２列配置した場合を示しているが、これに限定されるものではなく、例えば、図７に示すように、移送ローラ機構３０の移送ローラ３１の軸線方向に伸長した１個の移送ローラ３１として配置することも可能であり、同様の効果を奏する。
【００３９】
また、上述した実施の形態１においては、起立ローラ機構６０の起立ローラ６１が間隔を置いて少なくとも２列配置した場合を示しているが、これに限定されるものではなく、例えば、図８に示すように、起立ローラ機構６０の起立ローラ６１の軸線方向に伸長した１個の起立ローラ３１として配置することも可能であり、同様の効果を奏する。
【００４０】
実施の形態２．
この発明の実施の形態２を図９から図１４に基づいて説明するが、各図において、同一、または相当部材、部位については同一符号を付して説明する。図９はこの発明の実施の形態２に係わる電機設備盤の起立設備を示す正面図である。図１０はこの発明の実施の形態２に係わる電機設備盤の起立設備を示す図９のＸ−Ｘ線における断面図である。図１１はこの発明の実施の形態２に係わる電機設備盤の起立設備を示す正面図である。図１２はこの発明の実施の形態２に係わる電機設備盤の起立設備を示す正面図である。図１３はこの発明の実施の形態２に係わる電機設備盤の起立設備を示す図１２のXIII−XIII線における断面図である。図１４はこの発明の実施の形態２に係わる電機設備盤の起立設備を示す正面図である。
【００４１】
上述した実施の形態１においては、横倒しされた電機設備盤１００が昇降装置１０の昇降台１２上の移送ローラ機構３０の移送ローラ３１に載置された場合について述べたが、この実施の形態２においては、移送ローラ機構３０の移送ローラ３１の移送方向の軸線位置と起立ローラ機構６０の起立ローラ６１の移送方向の軸線位置とは同一である。
【００４２】
そして、移送ローラ機構３０の移送ローラ３１に移動可能に嵌め込まれるとともに起立ローラ機構６０の起立ローラ６１にも嵌め込むことが可能なスケーター７０を設けたものである。その他の構成については上述した実施の形態１と同様である。
【００４３】
このスケーター７０は移送ローラ機構３０の移送ローラ３１の軸線方向に２個配置された場合を示している。スケーター７０上に横倒しされた電機設備盤１００が載置される。
【００４４】
次に、この実施の形態２における電機設備盤１００の起立方法について述べる。昇降装置１０の昇降台１２上に配置された移送ローラ機構３０の移送ローラ３１にスケーター７０を嵌め込み、スケーター７０上に横倒しされた電機設備盤１００を載置し、電機設備盤１００への各種機器の取り付けが容易となる高さとなるよう昇降装置１０の駆動機構１４により昇降台１２を昇降させる。
【００４５】
各種機器が組み立てられた電機設備盤１００を起立させる作業に入る。電機設備盤１００の組み立て作業中は、起立装置５０の起立台５４は図９に示すように垂直方向の位置に保持されており、起立装置５０の起立台５４を起立駆動機構５５により回動させて図１１に示すように起立台５４を水平位置とする。
【００４６】
図１１に示すように昇降装置１０の駆動機構１４により昇降台１２を昇降させて昇降台１２上の移送ローラ機構３０の移送ローラ３１の高さ位置を起立装置５０の起立台５４上の起立ローラ機構６０の起立ローラ６１の高さ位置に合わせる。
【００４７】
昇降台１２上の移送ローラ機構３０の移送ローラ３１に嵌めこまれたスケーター７０に載置された電機設備盤１００を起立装置５０側に押すことにより移送ローラ３１が回転するので、電機設備盤１００が載置されたスケーター７０が滑らかに起立台５４上の起立ローラ機構６０の起立ローラ６１側に移送し、起立ローラ６１が回転するので、電機設備盤１００が載置されたスケーター７０が滑らかに移送して電機設備盤１００を載置体５６に当接させて起立台５４上の起立ローラ機構６０の起立ローラ６１に載置する。
【００４８】
起立装置５０の起立台５４を起立駆動機構５５により回動させて図１４に示すように起立台５４を垂直位置に戻すことにより、横倒しされた電機設備盤１００を垂直方向に起立させることができる。
【００４９】
以上のように、昇降台１２上の移送ローラ機構３０の移送ローラ３１に嵌めこまれたスケーター７０に載置された電機設備盤１００を起立装置５０側に押すことにより、電機設備盤１００を滑らかに起立台５４上の起立ローラ機構６０の起立ローラ６１側に移送でき、電機設備盤１００が載置されたスケーター７０が滑らかに移送して電機設備盤１００を載置体５６に当接させて起立台５４上の起立ローラ機構６０の起立ローラ６１に載置できる。そして、起立装置５０の起立台５４を起立駆動機構５５により回動させて起立台５４を垂直位置に戻すことにより、横倒しされた電機設備盤１００を一人の作業で容易に垂直方向に起立させることができる。したがって、この実施の形態２においても、上述した実施の形態１と同様の効果を奏する。
【００５０】
また、スケーター７０は移送ローラ機構３０の移送ローラ３１の軸線方向に２個配置された場合を示したが、これに限定されるものではなく、スケーター７０は２個以上配置することも可能であり、或いはスケーター７０を移送ローラ機構３０の移送ローラ３１の軸線方向に伸長した１個として配置することも可能であり、上述した実施の形態２と同様の効果を奏する。
【００５１】
なお、起立装置５０の載置体５６上に起立された電機設備盤１００は搬送具などにより次工程に搬送されることになる。
【００５２】
ところで、上述した実施の形態２においては、移送ローラ機構３０の移送ローラ３１が間隔を置いて少なくとも２列配置した場合を示しているが、これに限定されるものではなく、移送ローラ機構３０の移送ローラ３１の軸線方向に伸長した１個の移送ローラ３１として配置することも可能であり、同様の効果を奏する。
【００５３】
また、上述した実施の形態２においては、起立ローラ機構６０の起立ローラ６１が間隔を置いて少なくとも２列配置した場合を示しているが、これに限定されるものではなく、起立ローラ機構６０の起立ローラ６１の軸線方向に伸長した１個の起立ローラ３１として配置することも可能であり、同様の効果を奏する。
【００５４】
このように、１個の移送ローラ３１と１個の起立ローラ３１とした場合には、スケーター７０も１個のものとして配置することも可能であり、同様の効果を奏する。
【００５５】
なお、上述した各実施の形態においては、昇降台１２が二つに分割された場合について述べたが、これに限定されるものではなく、昇降台１２を一枚の板で構成するようにしてもよく、上述した各実施の形態と同様の効果を奏する。
【００５６】
なお、この発明は、その発明の範囲内において、各実施の形態を自由に組み合わせたり、各実施の形態を適宜、変形、省略することが可能である。  
【産業上の利用可能性】
【００５７】
この発明は、横倒しされた電機設備盤を容易に起立させることができる電機設備盤の起立設備および電機設備盤の起立方法の実現に好適である。
【符号の説明】
【００５８】
１０  昇降装置、１１  ベース、１２  昇降台、１３  リンク機構、１４  駆動機構、３０  移送ローラ機構、３１  移送ローラ、５０  起立装置、５１  固定体、５４  起立台、５５  起立駆動機構、５６  載置体、６０  起立ローラ機構、６１  起立ローラ、７０  スケーター、１００  電機設備盤。
【図１】
2017221580.tif 000003
【図２】
2017221580.tif 000004
【図３】
2017221580.tif 000005
【図４】
2017221580.tif 000006
【図５】
2017221580.tif 000007
【図６】
2017221580.tif 000008
【図７】
2017221580.tif 000009
【図８】
2017221580.tif 000010
【図９】
2017221580.tif 000011
【図１０】
2017221580.tif 000012
【図１１】
2017221580.tif 000013
【図１２】
2017221580.tif 000014
【図１３】
2017221580.tif 000015
【図１４】
2017221580.tif 000016
【国際調査報告】
2017221580.tif 000017
2017221580.tif 000018
2017221580.tif 000019
2017221580.tif 000020